(57)【要約】【課題】地震のような大きな衝撃に襲われた場合であっても、ストッパーや基礎ボルトの折曲或いは折損さらには振動発生源の損傷をも防止できる防振架台を提供する。【解決手段】各防振具１４は、一端側が各防振具１４に取り付けられ、他端側が１本の基礎ボルトＺを介して基礎Ｙに固定される複数の固定用プレート１６を備える。この発明では、防振具１４を従来のように基礎Ｙに直接固定するのではなく、固定用プレート１６を介して１本の基礎ボルトＺで基礎Ｙに固定するようにしているので、基礎Ｙに取り付けた状態の防振架台１０を従来のような剛構造ではなく柔構造とすることができる。したがって、地震のような大きな揺れに襲われた場合には、各防振具１４が基礎Ｙに対して横ズレすることができ、これにより基礎ボルトＺやストッパーボルト或いは振動発生源Ｘに加わる衝撃を緩和させることができる。【選択図】図４
2009085416.tif 000002
【特許請求の範囲】
【請求項１】
振動発生源が載置される上部架台、
前記上部架台に取り付けられ、前記上部架台と基礎との間に介装される複数の防振具、および
前記各防振具に対応して夫々設けられ、その一端側が前記各防振具に取り付けられ、他端側が１本の基礎ボルトを介して基礎に固定される複数の固定用プレートを備える防振架台。
【請求項２】
(a)  前記各防振具は、２個のストッパーボルト固定用孔を有する下部プレート、前記ストッパーボルト固定用孔と対応する位置に設けられた２個のガイド孔を有する上部ケーシング、前記下部プレートと前記上部ケーシングとの間に配設された振動吸収部材、下端が前記ストッパーボルト固定用孔に固定され、上端が対応するガイド孔に挿通されたストッパーボルトと、前記ストッパーボルトの前記下部プレートの上部に突出された部分に螺合された固定用ナットと、前記ストッパーボルトの前記ガイド孔の上方に突出された部分に螺合された位置規制用ナットとを有するストッパーを備えており、
(b)  前記各固定用プレートは、その一端側において前記ストッパーボルト固定用孔と対応する２個のストッパーボルト挿通用孔が設けられており、他端側において１個の基礎ボルト挿通用孔が設けられており、
(c)  前記ストッパーボルト固定用孔および前記ストッパーボルト挿通用孔に挿通されたストッパーボルトとこれに螺合された前記固定用ナットとによって、前記固定用プレートが前記下部プレートに対して共締め固定されていることを特徴とする請求項１に記載の防振架台。
【請求項３】
前記固定用プレートが弾性と復元性に優れた材料で形成されていることを特徴とする請求項１または２に記載の防振架台。
【請求項４】
(a)  振動発生源と基礎との間に介装される防振具、および一端側が前記防振具に取り付けられ、他端側が基礎ボルトを介して基礎に固定される固定用プレートを備える防振ユニットであって、
(b)  前記防振具は、２個のストッパーボルト固定用孔を有する下部プレート、前記ストッパーボルト固定用孔と対応する位置に設けられた２個のガイド孔を有する上部ケーシング、前記下部プレートと前記上部ケーシングとの間に配設された振動吸収部材、下端が前記ストッパーボルト固定用孔に固定され、上端が対応するガイド孔に挿通されたストッパーボルトと、前記ストッパーボルトの前記下部プレートの上部に突出された部分に螺合された固定用ナットと、前記ストッパーボルトの前記ガイド孔の上方に突出された部分に螺合された位置規制用ナットとを有するストッパーを備えており、
(c)  前記固定用プレートは、その一端側において前記ストッパーボルト固定用孔と対応する２個のストッパーボルト挿通用孔が設けられており、他端側において１個の基礎ボルト挿通用孔が設けられており、
(d)  前記ストッパーボルト固定用孔および前記ストッパーボルト挿通用孔に挿通されたストッパーボルトとこれに螺合された前記固定用ナットとによって、前記固定用プレートが前記下部プレートに対して共締め固定されていることを特徴とする防振ユニット。
【発明の詳細な説明】
【技術分野】
【０００１】
この発明は、建物などの基礎と、機械装置などの振動発生源との間に介装され、振動発生源からの振動が基礎に伝達されることを防止する防振架台ならびに該防振架台に用いられる防振ユニットに関する。
【背景技術】
【０００２】
従来、振動発生源から発生する振動が基礎に伝わるのを防止するために、振動発生源と基礎との間に防振架台を介装することが一般に行われていた（例えば、特許文献１参照）。
【０００３】
この従来の防振架台１は、例えば図１２〜１３に示すように、振動発生源Ｘが載置される矩形枠状の上部架台２と、上部架台２に取り付けられ、振動発生源Ｘと基礎Ｙとの間に介装される４つの防振具３とで大略構成されている。
【０００４】
各防振具３は、下部プレート４、上部ケーシング５、下部プレート４と上部ケーシング５との間に配設された振動吸収部材６、および下部プレート４に対する上部ケーシング５の横方向への移動を規制する２本のストッパー７を備えている。
【０００５】
防振架台１を使用する際には、各防振具３が２本の基礎ボルト８によって基礎Ｙに固定され、振動発生源Ｘがボルトナットなどの締結手段９によって上部架台２の上面に取り付けられる。
【０００６】
そして、振動発生源Ｘから生じた振動は、振動吸収部材６の弾発力によって吸収され、当該振動が基礎Ｙに伝達されるのを防止できる。
【特許文献１】意匠登録１２９１５７０号公報
【発明の開示】
【発明が解決しようとする課題】
【０００７】
地震のような大きな衝撃に襲われた際、防振架台１に横方向の大きな衝撃が加わると、振動発生源Ｘにはその反力（慣性力）が作用して上部架台２が基礎Ｙに対して横方向に振動する。そして、このときに生ずる運動エネルギーが上部架台２および防振具３を介して基礎ボルト８に伝達される（運動エネルギーの一部は振動吸収部材６によって吸収されるが、地震のような大きな衝撃に襲われたときに発生する運動エネルギーは、振動吸収部材６では到底吸収できない）。
【０００８】
ところが、従来の防振架台１では、上述したように各防振具３が２本の基礎ボルト８によって基礎Ｙに直接しっかりと固定されており、完全な剛構造となっていた。そのため、上記運動エネルギーは防振具３を構成しているストッパー７や基礎ボルト８にダイレクトに伝達されることとなり、ストッパー７や基礎ボルト８の折曲（甚だしい場合には折損）を生じるという問題があった。
【０００９】
しかも、このような剛構造の防振架台１では、上記運動エネルギーが防振架台１に搭載されている振動発生源Ｘにもダイレクトに伝達され、振動発生源Ｘに過大な集中応力が加わって振動発生源Ｘの損傷を引き起こしてしまうという問題もあった。
【００１０】
そして、これらの問題は、防振架台１に上下方向の過大な衝撃が加わった場合も同様である。
【００１１】
それゆえに、本願発明の目的は、地震のような大きな衝撃に襲われた場合であっても、ストッパーや基礎ボルトの折曲或いは折損さらには振動発生源Ｘの損傷をも防止できる防振架台ならびに該防振架台に用いられる防振ユニットを提供することである。
【課題を解決するための手段】
【００１２】
請求項１に記載した発明は、「振動発生源Ｘが載置される上部架台１２、上部架台１２に取り付けられ、上部架台１２と基礎Ｙとの間に介装される複数の防振具１４および、各防振具１４に対応して夫々設けられ、その一端側が各防振具１４に取り付けられ、他端側が１本の基礎ボルトＺを介して基礎Ｙに固定される複数の固定用プレート１６を備える防振架台１０」である。
【００１３】
この発明では、防振具１４を従来のように基礎Ｙに直接固定するのではなく、固定用プレート１６を介して１本の基礎ボルトＺによって基礎Ｙに固定される。したがって、地震のような大きな揺れに襲われた場合には、各防振具１４が基礎Ｙに対して横ズレすることによって基礎ボルトＺやストッパーボルト或いは振動発生源Ｘに加わる衝撃を緩和させることができ、従来のような剛構造とは異なり柔構造の防振架台１０とすることができる。
【００１４】
なお、各防振具１４の基礎Ｙへの取り付けは、各防振具１４に取り付けられた固定用プレート１６を１本の基礎ボルトＺによって固定するだけで完了するので、各防振具を２本の基礎ボルトＺで基礎Ｙに取り付けるようにしていた従来技術と比べてその取付作業の手間を大幅に省力化できる。
【００１５】
請求項２に記載した発明は、請求項１に記載の発明をより具体化したもので「(a)  各防振具１４は、２個のストッパーボルト固定用孔４２を有する下部プレート３０、ストッパーボルト固定用孔４２と対応する位置に設けられた２個のガイド孔５０を有する上部ケーシング３２、下部プレート３０と上部ケーシング３２との間に配設された振動吸収部材３６、下端がストッパーボルト固定用孔４２に固定され、上端が対応するガイド孔５０に挿通されたストッパーボルト５４と、ストッパーボルト５４の下部プレート３０の上部に突出された部分に螺合された固定用ナット６０ａと、ストッパーボルト５４のガイド孔５０の上方に突出された部分に螺合された位置規制用ナット６０ｂとを有するストッパー３４を備えており、(b)  各固定用プレート１６は、その一端側においてストッパーボルト固定用孔４２と対応する２個のストッパーボルト挿通用孔７４が設けられており、他端側において１個の基礎ボルト挿通用孔７６が設けられており、(c)  ストッパーボルト固定用孔４２およびストッパーボルト挿通用孔７４に挿通されたストッパーボルト５４とこれに螺合された固定用ナット６０ａとによって、固定用プレート１６が下部プレート３０に対して共締め固定されている」ことを特徴とする防振架台１０である。
【００１６】
この発明では、ストッパーボルト５４と固定用ナット６０ａとで共締め固定するという非常に簡単な方法により、固定用プレート１６を防振具１４に取り付けることができる。
【００１７】
請求項３に記載した発明は、「固定用プレート１６が弾性と復元性に優れた材料により構成されている」ことを特徴とするものである。
【００１８】
この発明によれば、固定用プレート１６そのものに弾性を付与できるので、防振架台１０に上下方向の衝撃が加わった場合、固定用プレート１６が上下方向に撓むことによって衝撃力を吸収できる。なお、「強度と剛性に優れた材料」の具体例としては、後述するように、バネ鋼や繊維強化プラスチックス（ＦＲＰ）などが挙げられる。
【００１９】
請求項４に記載した発明は、「(a)  振動発生源Ｘと基礎Ｙとの間に介装される防振具１４、および一端側が防振具１４に取り付けられ、他端側が基礎ボルトＺを介して基礎Ｙに固定される固定用プレート１６を備える防振ユニット１００であって、(b)  防振具１４は、２個のストッパーボルト固定用孔４２を有する下部プレート３０、ストッパーボルト固定用孔４２と対応する位置に設けられた２個のガイド孔５０を有する上部ケーシング３２、下部プレート３０と上部ケーシング３２との間に配設された振動吸収部材３６、下端がストッパーボルト固定用孔４２に固定され、上端が対応するガイド孔５０に挿通されたストッパーボルト５４と、ストッパーボルト５４の下部プレート３０の上部に突出された部分に螺合された固定用ナット６０ａと、ストッパーボルト５４のガイド孔５０の上方に突出された部分に螺合された位置規制用ナット６０ｂとを有するストッパー３４を備えており、(c)  固定用プレート１６は、その一端側においてストッパーボルト固定用孔４２と対応する２個のストッパーボルト挿通用孔７４が設けられており、他端側において１個の基礎ボルト挿通用孔７６が設けられており、(d)  ストッパーボルト固定用孔４２およびストッパーボルト挿通用孔７４に挿通されたストッパーボルト５４とこれに螺合された固定用ナット６０あとによって、固定用プレート１６が下部プレート３０に対して共締め固定されている」ことを特徴とする防振ユニット１００である。
【００２０】
この発明によれば、防振具１４そのものにストッパー機能が付与されており、水平方向や引張方向の力に対する耐震強度を確保できるので、防振具１４と固定用プレート１６とからなる防振ユニット１００を防振架台の部品として使用するだけでなく単体で使用すること（すなわち、振動発生源Ｘと基礎Ｙとの間に直接配置して使用すること）が可能となる。
【発明の効果】
【００２１】
請求項１から３に記載の発明によれば、地震のような大きな揺れに襲われた際、防振具が基礎に対して横ズレすることにより振動を吸収できるので、従来のようにストッパーボルトや基礎ボルト或いは振動発生源に衝撃がダイレクトに加わることはなく、ストッパーボルトや基礎ボルトの折曲や折損或いは振動発生源の損傷を防止できる。また、請求項４に記載の発明によれば、防振架台の部品として使用することは勿論、単体としての使用も可能な汎用性に優れた防振ユニットを提供することが可能となった。
【発明を実施するための最良の形態】
【００２２】
以下、本願発明を図面に従って説明する。防振架台１０は、機械装置などの振動発生源Ｘと基礎Ｙとの間に介装され（図４参照）、振動発生源Ｘから発生した振動が基礎Ｙに伝達されるのを防止するためのものであり、図１〜図３に示すように、上部架台１２と４つの防振具１４と防振具１４に対応して夫々設けられた４つの固定用プレート１６とで大略構成されている。
【００２３】
上部架台１２は、その上面に載置される振動発生源Ｘの基材強度を高めるためのものであり、細長の棒状部材（例えば、角パイプ）にて形成された２本の第１枠構成材１２ａと、前記２本の第１枠構成材１２ａ同士を繋ぐ２本の第２枠構成材１２ｂとで構成され、両部材が固定手段１７によって固定されている。
【００２４】
第１枠構成材１２ａにおける第２枠構成材１２ｂとの接続箇所には、その左右両側面に２個のボルト挿通用孔１８がそれぞれ並んで穿設されている。また、第１枠構成材１２ａにおいてボルト挿通用孔１８が穿設されている箇所の近傍には、上面から下面に至る防振具取付用孔２０が穿設されている。
【００２５】
一方、第２枠構成材１２ｂの両端部には、その左右両側面にだるま孔２２がそれぞれ穿設されている。ここで、各だるま孔２２は、第２枠構成材１２ｂの開口端部から遠く離れた側の直径が開口端部に近い側の直径よりも大きく設定されている。
【００２６】
固定手段１７は、ボルト固定用板２４と固定ボルト２６とで構成されている。ボルト固定用板２４は、だるま孔２２に挿通可能な断面形状を有する平板状部材であり、その幅方向両端部には凸部２４ａが形成されている。なお、凸部２４ａの外形は、だるま孔２２の小径側部分の内径よりも若干小さめに設定されている。また、ボルト固定用板２４の中央部には、ボルト挿通用孔１８と対応する位置に螺子孔２４ｂが螺設されている。
【００２７】
上部架台１２を形成する際には、２本の第２枠構成材１２ｂを互いに対向するように所定間隔を隔てて配置し、この第２枠構成材１２ｂを挟み込むようにして２本の第１枠構成材１２ａを配置する。
【００２８】
次に、第２枠構成材１２ｂの両端に設けられているだるま孔２２にボルト固定用板２４を挿入し、ボルト固定用板２４を凸部２４ａを軸として９０度回転させ（これにより、ボルト固定用板２４に形成された螺子孔２４ｂは、第２枠構成材１２ｂの開口部側を向くことになる。）、ボルト固定用板２４の凸部２４ａをだるま孔２２に沿わせてボルト固定用板２４を第２枠構成材１２ｂの開口端部側へスライドさせる。
【００２９】
次に、固定ボルト２６を第１枠構成材１２ａのボルト挿通用孔１８に挿入し、固定ボルト２６の先端をボルト固定用板２４の螺子孔２４ｂにねじ込む。すると、ボルト固定用板２４が固定ボルト２６の頭部側に引き寄せられるとともに、ボルト固定用板２４の凸部２４ａがだるま孔２２の内側面を第２枠構成材１２ｂの開口部側に向けて押圧することになり、その結果、第２枠構成材１２ｂが第１枠構成材１２ａの側面に押し当てられる。このように、固定ボルト２６をボルト固定用板２４の螺子孔２４ｂにねじ込むことにより、第１枠構成材１２ａと第２枠構成材１２ｂとが固定され、これにより上部架台１２が完成する。
【００３０】
なお、固定ボルト２６をボルト固定用板２４の螺子孔２４ｂにねじ込んでいくと、ボルト固定用板２４は固定ボルト２６側に引き寄せられて撓み、この時に発生する撓み力が固定ボルト２６に加わる。つまり、固定ボルト２６とボルト固定用板２４には、互いに引っ張り合う方向の力が働き、この力が固定ボルト２６の緩み止めとして機能することとなる。
【００３１】
防振具１４は、図５〜図７に示すように、下部プレート３０、上部ケーシング３２、ストッパー３４および振動吸収部材３６により大略構成されている。
【００３２】
下部プレート３０は、鉄などの高剛性材料からなり、略小判状に形成された板状の部材である。
【００３３】
下部プレート３０の長手方向両端には、盛上り部４０がプレス加工により形成されており、各盛上り部４０の頂部には、後述するストッパーボルト５４を固定するためのストッパーボルト固定用孔４２が穿設されている。なお、ストッパーボルト固定用孔４２の内周形状は図７の一点鎖線で示すように四角形状となっている。但し、ストッパーボルト固定用孔４２の内周形状は、非円形状であれば四角形状に限定されるものではなく、例えば楕円形状であってもよいし、三角形状や五角形状といった他の多角形状であってもよい。
【００３４】
下部プレート３０の中央部には、振動吸収部材３６を固定するための固定用孔４４が穿設されており、該固定用孔４４の近傍には、振動吸収部材３６が回転するのを防止するための回転防止用孔４６が穿設されている（図７参照）。なお、固定用孔４４は、２個のストッパーボルト固定用孔４２の中心位置に設けられている。
【００３５】
上部ケーシング３２は、鉄などの高剛性材料からなり、下面が開口した椀状のものであり、その中央部分には、深絞り加工によって断面略円形状の振動吸収部材収容部３２ａが形成されており、振動吸収部材収容部３２ａの下端部には、側方に延びる２個のストッパー取付部３２ｂが互いに対向する位置に形成されている。
【００３６】
振動吸収部材収容部３２ａの上面には、固定用孔４８が形成されており、ストッパー取付部３２ｂの上面には、ガイド孔５０が穿設されている。
【００３７】
そして、振動吸収部材収容部３２ａの天井面には、固定用孔４８と対応する位置に固定用ナット５２が溶接などの固着手段によって固着されている。
【００３８】
ストッパー３４は、ストッパーボルト５４、ゴムブッシュ５６、平座金５８、ナット６０（６０ａ、６０ｂ）およびフランジ６２（６２ａ、６２ｂ）により構成されている。
【００３９】
ストッパーボルト５４は、雄ネジの根元部分の断面形状がストッパーボルト固定用孔４２の内周形状に合わせて略四角形状に形成されたいわゆる角根ボルトと呼ばれるものであり、この略四角形状部分をストッパーボルト固定用孔４２に嵌め込むことにより、ストッパーボルト５４の共回りを防止することができる。
【００４０】
ゴムブッシュ５６は、ゴムなどの弾性材料からなるリング状の部材であり、その内径は、ストッパーボルト５４のボルト部分の外径よりも大きく設定されている。なお、ゴムブッシュ５６をストッパー取付部３２ｂの上面に形成されているガイド孔５０に装着したときには、ガイド孔５０の内側面と、ガイド孔５０近傍におけるストッパー取付部３２ｂの上面および下面がゴムブッシュ５６で覆われることとなる。
【００４１】
平座金５８は、鉄またはステンレス等の金属からなるリング状部材であり、その内径は、ストッパーボルト５４のボルト部分の外径よりも大きめに設定されている。
【００４２】
フランジ６２（６２ａ、６２ｂ）は、鉄またはステンレス等の金属からなるリング状部材であり、その内面には、ストッパーボルト５４の雄ネジに対応する雌ネジが螺設されている。
【００４３】
なお、ナット６０のうち、下側のナット６０ａがストッパーボルト５４を固定するための固定用ナット６０ａであり、上側のナット６０ｂが上部ケーシング３２の上方向の位置を規制するための位置規制用ナット６０ｂである。
【００４４】
振動吸収部材３６は、弾性によって振動を吸収するものであり、コイルバネ６８と、コイルバネ６８の上端に取り付けられたカップ状の上側固定部材７０と、コイルバネ６８の下端に固定された下側固定部材７２と、下側固定部材７２に取着され、コイルバネ６８の下端部および下側固定部材７２の周囲を囲繞する筒状の目隠部材７３とで構成されている。
【００４５】
下側固定部材７２の底面中央部分には、固定用凸部７２ａが下方に突出して形成されており、固定用凸部７２ａの近傍には回転防止用凸部７２ｂが形成されている（図７参照）。
【００４６】
なお、振動吸収部材３６の防振性能は、弾性体であるコイルバネ６８の線径や巻数或いは材質等を変更することにより適宜設定することが可能である。また、コイルバネ６８に替えて円柱状のゴム部材を用いても良いし、コイルバネ６８とゴム部材とを組み合わせたものを弾性体として使用することも可能である。
【００４７】
防振具１４を組み立てる際には、まず、下部プレート３０の上面に振動吸収部材３６を配置し、下側固定部材７２の下面に形成されている固定用凸部７２ａと回転防止用凸部７２ｂとを下部プレート３０の固定用孔４４および回転防止用孔４６にそれぞれ嵌合する。また、上部ケースのガイド孔５０には、ストッパー３４を構成しているゴムブッシュ５６を装着する。
【００４８】
次に、下部プレート３０の盛上り部４０に形成されたストッパーボルト固定用孔４２に下部プレート３０の下面側からストッパーボルト５４を挿通し、ストッパーボルト５４の根元部分（角根部分）をストッパーボルト固定用孔４２に嵌合させる。そして、固定用ナット６０ａを用いてストッパーボルト５４を下部プレート３０に固定する。
【００４９】
次に、ストッパーボルト５４に２枚のフランジ６２（６２ａ、６２ｂ）を装着し、然る後、上部ケーシング３２を取り付ける（このとき、ガイド孔５０に装着されたゴムブッシュ５６の孔にストッパーボルト５４が挿通される）。
【００５０】
そして、最後にストッパーボルト５４に平座金５８とナット６０ｂをこの順で装着すれば防振具１４が完成する。
【００５１】
固定用プレート１６は、バネ鋼や繊維強化プラスチックス（ＦＲＰ）などの弾性と復元性に優れた材料からなり、略Ｕ字型に形成された板状部材であり、図８に示すように、その二股に分かれた先端部分にはストッパーボルト挿通用孔７４がそれぞれ形成されている。また、固定用プレート１６の根元部分は曲折形成されており、当該曲折部分の近傍に基礎ボルト挿通用孔７６が形成されている。
【００５２】
そして、固定用プレート１６の裏面には、基材強度を高めるための補強用プレート７８が取り付けられている。
【００５３】
なお、繊維強化プラスチックス（ＦＲＰ）の具体例としては、例えば、炭素繊維強化プラスチックス（ＣＦＲＰ）、ケブラー強化プラスチックス（ＫＦＲＰ）、ボロン繊維強化プラスチックス（ＢＦＲＰ）などが挙げられる。
【００５４】
防振架台１０を組み立てる際には、先ず防振具１４を分解し、下部プレート３０の盛上り部４０に形成されたストッパーボルト固定用孔４２と固定用プレート１６のストッパーボルト挿通用孔７４とが一致するように下部プレート３０の上面に固定用プレート１６を載置する。そして、先程防振具１４を組み立てたのと同様の手順で防振具１４を組み立てるのであるが、このとき、ストッパーボルト５４の頭とナット６０ａとで固定用プレート１６と下部プレート３０とを挟み込むことにより、固定用プレート１６が防振具１４に取り付けられることになる（図９〜図１０参照）。
【００５５】
なお、上述実施例では、予め組み立てられている防振具１４に固定用プレート１６を取り付ける例について説明したが、防振具１４への固定用プレート１６の取り付けと、防振具１４の組立てとを並行して行なうようにしてもよい。
【００５６】
次に、このようにして得られた防振具１４と固定用プレート１６との一体物を上部架台１２の下方に４つ配置し、固定用ボルト８０を第１枠構成材１２ａの防振具取付用孔２０および防振具１４の固定用孔４８に挿入するとともに、その先端を固定用ナット５２に螺合する。これにより、上部架台１２と各防振具１４とが固定され、防振架台１０が完成する。なお、各防振具１４は、上部架台１２に対して固定用ボルト８０を中心として回転させることができ、本実施例では、固定用プレート１６が防振架台１０の内側を向くように各防振具１４が配置される（図１参照）。
【００５７】
防振架台１０を使用する際には、振動発生源Ｘと基礎Ｙとの間に防振架台１０を介装すればよい（図４参照）。具体的には、基礎Ｙに予め立設されている基礎ボルトＺを固定用プレート１６の基礎ボルト挿通用孔７６にその下側から挿通し、基礎ボルトＺの挿通端にナット８１を螺合すれば、防振架台１０が基礎Ｙに固定される。また、振動発生源Ｘに設けられている取付脚部８２を上部架台１２と固定用ボルト８０との間に装着すれば、振動発生源Ｘが防振架台１０に固定される。なお、本実施例では、基礎Ｙに基礎ボルトＺが予め立設されている箇所に防振架台１０を固定する場合について説明したが、基礎Ｙに基礎ボルトＺが予め立設されていないような場合には、防振架台１０の基礎Ｙへの据付時に基礎ボルトＺを基礎Ｙに取り付け、これにより防振架台１０を基礎Ｙに固定するようにしても良い。この場合、図１１に示すように固定用プレート１６が防振架台１０の外側を向くように各防振具１４を配置しておけば、基礎ボルトＺを基礎Ｙに取り付ける際の作業効率を向上させることができる。
【００５８】
以上のようにして防振架台１０が振動発生源Ｘと基礎Ｙとの間に介装されることになるのであるが、ここで重要な点は、各防振具１４が基礎Ｙに直接固定されているのではなく、固定用プレート１６を介して１本の基礎ボルトＺによって基礎Ｙに取付けられており、基礎Ｙに取り付けた状態の防振架台１０が柔構造になっているという点である。
【００５９】
つまり、地震のような大きな揺れに襲われた際、防振架台１０に水平方向の大きな衝撃力が付与されると、防振具１４が基礎ボルトＺを中心として基礎Ｙに対して横ズレし、ストッパーボルト５４や基礎ボルトＺ或いは振動発生源Ｘに加わる衝撃を緩和できる。したがって、防振具１４を構成しているストッパーボルト５４や基礎ボルトＺ或いは振動発生源Ｘに過大な衝撃がダイレクトに伝達されることはなく、ストッパーボルト５４や基礎ボルトＺの折曲或いは折損、さらには振動発生源Ｘの損傷を防止できるのである。
【００６０】
そして、このことは、防振架台１０に上下方向の大きな衝撃が付与された場合も同様である。なお、固定用プレート１６はバネ鋼のような強度と剛性に優れた材料によって形成されているので、防振架台１０に上下方向の衝撃が加わった場合には、固定用プレート１６そのものが上下方向に撓み、これにより衝撃力を吸収できる。
【００６１】
上述実施例では、基礎Ｙと振動発生源Ｘとの間に防振架台１０を介装することによって振動発生源Ｘから生じる振動が基礎Ｙに伝達されるのを防止するようにしていたが、振動発生源Ｘの基材強度が十分に確保されている場合には、基礎Ｙと振動発生源Ｘとの間に防振具１４を直接介装するようにしてもよい。なお、ここでは、防振具１４と固定用プレート１６との一体物を防振ユニット１００と呼ぶことにする。
【００６２】
この実施例によれば、防振具１４そのものにストッパー機能が付与されており、水平方向や引張方向の力に対する耐震強度を確保できるので、防振具１４単体で利用することが可能となる。したがって、防振具１４と固定用プレート１６とからなる防振ユニット１００を振動発生源Ｘの種類に応じて防振架台１０の部品として使用したり、防振ユニット１００単体で利用することが可能となる。
【図面の簡単な説明】
【００６３】
【図１】本発明の防振架台を示す平面図である。
【図２】図１実施例の正面図である。
【図３】図１実施例の側面図である。
【図４】図１実施例における使用状態を示す図である。
【図５】図１実施例における防振具を示す図である。
【図６】防振具の断面図である。
【図７】防振具の底面図である。
【図８】固定用プレートを示す斜視図である。
【図９】防振具に固定用プレートを取付けた防振ユニットを示す図である。
【図１０】図９における側面図である。
【図１１】固定用プレートが外側となるように配置した状態を示す防振架台の平面図である。
【図１２】従来の防振架台を示す平面図である。
【図１３】従来例における使用状態を示す図である。
【符号の説明】
【００６４】
１０…防振架台
１２…上部架台
１４…防振具
１６…固定用プレート
３０…下部プレート
３２…上部ケーシング
３４…ストッパー
３６…振動吸収部材
４２…ストッパーボルト固定用孔
５４…ストッパーボルト
６０…ナット
７４…ストッパーボルト挿通用孔
７６…基礎ボルト挿通用孔
１００…防振ユニット
【図１】
2009085416.tif 000003
【図２】
2009085416.tif 000004
【図３】
2009085416.tif 000005
【図４】
2009085416.tif 000006
【図５】
2009085416.tif 000007
【図６】
2009085416.tif 000008
【図７】
2009085416.tif 000009
【図８】
2009085416.tif 000010
【図９】
2009085416.tif 000011
【図１０】
2009085416.tif 000012
【図１１】
2009085416.tif 000013
【図１２】
2009085416.tif 000014
【図１３】
2009085416.tif 000015